【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
離間した第１端部と第２端部との間に長さを有する本体部を備えた長尺管状ライティングアセンブリであって、
前記本体部上又は前記本体部内に設けられた照明源と、
前記管状ライティングアセンブリの支持部上に前記本体部を動作可能な状態に各々維持する第１コネクタ及び第２コネクタと、を備え、
前記第１コネクタは、第１コネクタ部分及び第２コネクタ部分を備え、
前記第１コネクタ部分は、前記本体部の前記第１端部に設けられ、
前記第２コネクタ部分は、前記管状ライティングアセンブリの支持部上に設けられ、
前記第２コネクタは、第３コネクタ部分及び第４コネクタ部分を備え、
前記第３コネクタ部分は、前記本体部の前記第２端部に設けられ、
前記第４コネクタ部分は、前記支持部上に設けられ、
前記第１コネクタ部分及び前記第２コネクタ部分は、各々、第１面及び第２面を有し、
前記第１コネクタ部分及び前記第２コネクタ部分は、前記第１コネクタ部分が前記第２コネクタ部分に対して、前記本体部の長さに対して横断方向の略直線状経路における前記第２コネクタ部分から完全に離間した位置から係合位置に移動する事象として、前記本体部の前記動作可能状態において前記第１コネクタ部分と前記第２コネクタ部分との離間を防ぐため、前記第１面及び前記第２面が対向関係に配置される、長尺管状ライティングアセンブリ。
【請求項２】
前記照明源は、ａ）少なくとも１つのＬＥＤエミッタパネルと、ｂ）蛍光を使用して可視光を生成するガス放電ランプと、のうちの少なくとも１つを備える、請求項１に記載の長尺管状ライティングアセンブリ。
【請求項３】
前記第３コネクタ部分及び前記第４コネクタ部分は、各々、前記第１コネクタ部分及び前記第２コネクタ部分の前記第１面及び前記第２面と構造的に略同一な面を有し、前記第１コネクタ部分及び前記第２コネクタ部分の前記第１面及び前記第２面が前記本体部の前記第１端部で互いに相互作用するのと略同様に、前記本体部の前記第２端部で互いに相互作用する、請求項１に記載の長尺管状ライティングアセンブリ。
【請求項４】
前記第１コネクタ部分及び前記第２コネクタ部分は、前記第１コネクタ部分が係合位置に向かって移動する際、前記第１コネクタ部分が前記第２コネクタ部分と逆に移動することにより、前記第１コネクタ部分と前記第２コネクタ部分の少なくとも一方の一部が再構成されて前記第１面及び前記第２面を対向関係に配置させる、請求項１に記載の長尺管状ライティングアセンブリ。
【請求項５】
前記第１コネクタ部分は、縁部に囲まれた開口を有し、前記第２コネクタ部分は、前記第２面の規定された第１屈曲可能部分を有し、前記第２コネクタ部分は、前記第１屈曲可能部分が、ａ）前記開口の縁部に係合され、前記第１コネクタ部分が前記係合位置に向かって移動される際、前記第１屈曲可能部分が前記完全離間位置にある前記第１コネクタ部分とともに留まる保持位置から組み付け位置へと次第にカム動作させられ、ｂ）前記組み付け位置から前記第１コネクタ部分が前記係合位置にある前記保持位置へ戻る、請求項４に記載の長尺管状ライティングアセンブリ。
【請求項６】
前記第２コネクタ部分は、アクチュエータを有し、前記第２コネクタ部分は、前記第１コネクタ部分が前記係合位置にある状態で、前記アクチュエータが再配置可能であることにより、前記第１屈曲可能部分をその組み付け位置に向かって移動させ、前記第１コネクタ部分を前記第２コネクタ部分から離間させる、請求項５に記載の長尺管状ライティングアセンブリ。
【請求項７】
前記開口及び前記第２コネクタ部分は、前記第１コネクタ部分が前記完全離間位置と前記係合位置との間で変化するのに合わせて前記第２コネクタ部分が前記開口内に向かわされる際、前記第２コネクタ部分を前記開口と合致するよう配列すべく、前記縁部及び前記第２コネクタ部分上の面が協働する、請求項５に記載の長尺管状ライティングアセンブリ。
【請求項８】
前記第２コネクタ部分は、前記第１屈曲可能部分と同一に構成された第２屈曲可能部分を有し、前記第１屈曲可能部分が前記対応保持位置と前記組み付け位置との間で移動する際に前記縁部と協働するのと同様に、前記縁部と協働し、前記第１屈曲可能部分及び前記第２屈曲可能部分は、前記保持位置から前記組み付け位置に変化する際、互いに向かって移動可能である、請求項５に記載の長尺管状ライティングアセンブリ。
【請求項９】
前記第１コネクタ部分は、前記本体部の前記第１端部にある第１端部キャップアセンブリの一部であり、前記第３コネクタ部分は、前記本体部の前記第２端部にある第２端部キャップアセンブリの一部であり、前記第１端部キャップアセンブリは、前記本体部の前記第１端部が内部に延びる第１レセプタクル開口を規定する第１カップ状要素を備え、前記第２端部キャップアセンブリは、前記本体部の前記第２端部が内部に延びる第２レセプタクル開口を規定する第２カップ状要素を備える、請求項１に記載の長尺管状ライティングアセンブリ。
【請求項１０】
前記第１端部キャップアセンブリはさらに、少なくとも、第１コネクタ基板を備え、前記照明源及び前記少なくとも第１コネクタ基板は、前記本体部の前記第１端部及び前記第１端部キャップアセンブリが前記本体部の前記長さに略平行な方向において接続関係となるよう互いに向かって移動する事象として、電気的に接続される、請求項９に記載の長尺管状ライティングアセンブリ。
【請求項１１】
前記第２コネクタ部分は、電源に対して電気的に接続され、前記第１コネクタ部分が前記完全離間位置から前記係合位置に移動する事象として、電気的に接続される前記少なくとも第１コネクタ基板及び前記第２コネクタ部分上に電気コネクタ要素が存在する、請求項１０に記載の長尺管状ライティングアセンブリ。
【請求項１２】
前記第１コネクタ基板上の前記電気コネクタ要素は、各々、前記第１コネクタ部分が前記第２コネクタ部分に向かって、且つ前記係合位置に移動される時、前記本体部の前記長さに略平行な方向に延びる第１部分と、前記本体部の長さに対して横断方向に、且つ、前記第２コネクタ部分に向かって延びる第２部分と、を有する略Ｌ字型ピンを備える、請求項１１に記載の長尺管状ライティングアセンブリ。
【請求項１３】
前記照明源は、少なくとも１つのＬＥＤエミッタパネルを備え、前記少なくとも１つのＬＥＤエミッタパネルは、複数のＤＣ電源方式ＬＥＤを備える、請求項１に記載の長尺管状ライティングアセンブリ。
【請求項１４】
前記照明源は、少なくとも１つのＬＥＤエミッタパネルを備え、前記少なくとも１つのＬＥＤエミッタパネルは、複数のＡＣ電源方式ＬＥＤを備える、請求項１に記載の長尺管状ライティングアセンブリ。
【請求項１５】
前記照明源は、交差面内に据え付けられた複数のＬＥＤエミッタパネルを支持する多面ヒートシンクを備える、請求項１に記載の長尺管状ライティングアセンブリ。
【請求項１６】
前記多面ヒートシンクの前記多面の内側に搭載された無停電バッテリ電源回路をさらに備える、請求項１５に記載の長尺管状ライティングアセンブリ。
【請求項１７】
前記少なくとも１つのＬＥＤエミッタパネルは、複数のＤＣ電源方式ＬＥＤを備え、前記多面ヒートシンクの前記多面の内側に搭載されたＡＣ−ＤＣドライバ回路をさらに備える、請求項１５に記載の長尺管状ライティングアセンブリ。
【請求項１８】
前記本体部は、略円形の断面を有する、請求項１に記載の長尺管状ライティングアセンブリ。
【請求項１９】
前記本体部は、略非円形の断面を有する、請求項１に記載の長尺管状ライティングアセンブリ。
【請求項２０】
前記第２コネクタ部分及び前記第４コネクタ部分が配置される支持部と電源部との組み合わせで、前記端部キャップアセンブリ、第１コネクタ部分、及び第３コネクタ部分は、前記第１コネクタ部分が前記離間位置から前記係合位置に移動し、前記第３コネクタ部分が前記第４コネクタ部分に対して対応完全離間位置から係合位置へ移動する事象として、前記第２コネクタ部分及び前記第４コネクタ部分が前記本体部との接続関係から前記第１端部キャップアセンブリ及び前記第２端部キャップアセンブリの各々の離間を防ぐ、請求項９に記載の長尺管状ライティングアセンブリ。
【請求項２１】
前記本体部は、前記本体部の前記長さに略平行な方向に延び、各端部に設けられた一対の従来の電気コネクタピンを備え、前記第１端部コネクタ及び前記第３端部コネクタは、前記第１本体部端部及び前記第２本体部端部にて前記第１レセプタクル及び前記第２レセプタクル内の各々の前記電気ピン上に搭載され、前記電気ピンを包囲し、前記少なくとも第１端部コネクタは、導電性電気要素を有し、前記導電性電気要素は、前記本体部の前記長さに対して横断方向に延び、前記第１端部コネクタが前記第１本体部端部に向かい、前記本体部の前記長さと略平行な方向に前記第１本体部端部と接続関係となるまで移動する事象として、前記第１本体部端部で前記電気コネクタピンに電気的に接続する部分を有する、請求項９に記載の長尺管状ライティングアセンブリ。
【請求項２２】
離間した第１端部と第２端部との間に長さを有する本体部を備えた長尺管状ライティングアセンブリであって、
前記本体部上又は前記本体部内に設けられた照明源と、
前記本体部を動作可能な状態に各々維持する第１コネクタ及び第２コネクタと、を備え、
前記照明源は、電源に対して動作可能に接続され、
前記第１コネクタは、第１コネクタ部分及び第２コネクタ部分を備え、
前記第１コネクタ部分は、前記本体部の前記第１端部に設けられ、
前記第２コネクタ部分は、前記本体部のための支持部上に設けられ、
前記第２コネクタは、協働する第３コネクタ部分及び第４コネクタ部分を備え、
前記第３コネクタ部分は、前記本体部の前記第２端部に設けられ、
前記第４コネクタ部分は、前記支持部上に設けられ、
導電性コネクタ要素は、前記第１コネクタ部分及び前記第２コネクタ部分に設けられ前記照明源と電源との間を電気的に接続し、
前記第１コネクタ部分及び前記第２コネクタ部分は、前記導電性コネクタ要素から独立してともに保持されることにより、前記本体部を前記動作可能状態に維持する、長尺管状ライティングアセンブリ。
【請求項２３】
前記第１コネクタ部分及び前記第２コネクタ部分は、互いにスナップ接続され、前記第１コネクタ部分及び前記第２コネクタ部分が互いに向かって、且つ、互いとは反対側に相対移動する事象としてともに保持される、請求項２２に記載の長尺管状ライティングアセンブリ。
【請求項２４】
前記第３コネクタ部分及び前記第４コネクタ部分は、前記第１コネクタ部分及び前記第２コネクタ部分が前記本体部の前記第１端部でともに保持されるのと同様に、前記本体部の前記第２端部でともに保持される、請求項２２に記載の長尺管状ライティングアセンブリ。
【請求項２５】
前記第３コネクタ部分及び前記第４コネクタ部分は、互いにスナップ接続され、前記第３コネクタ部分及び前記第４コネクタ部分が互いに向かって、且つ、互いとは反対側に相対移動する事象として、ともに保持される、請求項２２に記載の長尺管状ライティングアセンブリ。
【請求項２６】
前記第１コネクタ部分及び前記第２コネクタ部分と、前記第３コネクタ部分及び前記第４コネクタ部分とは、前記第１コネクタ及び前記第３コネクタの搭載された前記本体部が前記本体部の前記長さに対して横断方向に移動する事象として、スナップ接続される、請求項２５に記載の長尺管状ライティングアセンブリ。
【請求項２７】
前記第１コネクタ部分及び前記第２コネクタ部分は、前記第１コネクタ部分及び前記第２コネクタ部分が互いにスナップ接続される事象として、前記第１コネクタ部分及び前記第２コネクタ部分上の前記導電性コネクタ要素が互いに電気的に接続される、請求項２３に記載の長尺管状ライティングアセンブリ。
【請求項２８】
前記第１コネクタ部分は、第１端部キャップアセンブリの一部であり、前記第１端部キャップアセンブリ及び前記照明源は、前記本体部の前記第１コネクタ部分及び前記第１端部が前記本体部の前記長さに略平行な方向において互いと反対、且つ、互いに向かって移動する事象として、前記第１コネクタ部分上の前記導電性要素の１つが前記照明源に電気的に接続される、請求項２２に記載の長尺管状ライティングアセンブリ。
【請求項２９】
前記第１端部キャップアセンブリは、前記本体部の前記第１端部が内部に向かって延びる第１カップ状要素を備える、請求項２８に記載の長尺管状ライティングアセンブリ。
【請求項３０】
前記照明源は、少なくとも１つのＬＥＤエミッタパネルを備える、請求項２２に記載の長尺管状ライティングアセンブリ。
【請求項３１】
前記少なくとも１つのＬＥＤエミッタパネルは、複数のＤＣ電源方式ＬＥＤを備える、請求項３０に記載の長尺管状ライティングアセンブリ。
【請求項３２】
前記少なくとも１つのＬＥＤエミッタパネルは、複数のＡＣ電源方式ＬＥＤを備える、請求項３０に記載の長尺管状ライティングアセンブリ。
【請求項３３】
前記照明源は、交差面内に据え付けられた複数のＬＥＤエミッタパネルを支持する多面ヒートシンクを備える、請求項３０に記載の長尺管状ライティングアセンブリ。
【請求項３４】
前記多面ヒートシンクの前記多面の内側に搭載された無停電バッテリ電源回路をさらに備える、請求項３３に記載の長尺管状ライティングアセンブリ。
【請求項３５】
前記少なくとも１つのＬＥＤエミッタパネルは、複数のＤＣ電源方式ＬＥＤを備え、前記多面ヒートシンクの前記多面の内側に搭載されたＡＣ−ＤＣドライバ回路をさらに備える、請求項３３に記載の長尺管状ライティングアセンブリ。
【請求項３６】
離間した第１端部と第２端部との間に長さを有する本体部を備えた長尺管状ライティングアセンブリであって、
前記本体部上又は前記本体部内に設けられた照明源と、
前記本体部の前記第１端部に設けられた第１端部コネクタと、を備え、
前記第１端部コネクタは、支持部上で前記本体部の前記第１端部を動作可能状態に維持するため、前記管状ライティングアセンブリのための前記支持部上に搭載された第２コネクタ部分と係合し、
前記第１端部コネクタ及び前記第２コネクタ部分は、各々、第１面及び第２面を有し、
前記第１端部コネクタ及び前記第２コネクタ部分は、前記第１端部コネクタが前記第２コネクタ部分に対して、前記本体部の長さに対して横断方向の略直線状経路における前記第２コネクタ部分から完全に離間した位置から係合位置に移動する事象として、前記本体部の前記動作可能状態において前記第１端部コネクタと前記第２コネクタ部分との離間を防ぐため、前記第１面及び前記第２面が対向関係に配置される、長尺管状ライティングアセンブリ。
【請求項３７】
前記照明源は、ａ）少なくとも１つのＬＥＤエミッタパネルと、ｂ）蛍光を使用して可視光を生成するガス放電ランプと、のうちの少なくとも１つを備える請求項３６に記載の長尺管状ライティングアセンブリ。
【請求項３８】
前記第１端部コネクタ及び前記第２コネクタ部分は、前記第１端部コネクタが係合位置に移動する際、前記第１端部コネクタが前記第２コネクタ部分と逆に移動することにより、前記第１端部コネクタと前記第２コネクタ部分の少なくとも一方の一部が再構成されて前記第１面及び前記第２面を対向関係に配置させる、請求項３６に記載の長尺管状ライティングアセンブリ。
【請求項３９】
前記第１端部コネクタは、縁部に囲まれた開口を有し、前記第２コネクタ部分は、前記第２面の規定された第１屈曲可能部分を有し、前記開口の前記縁部は、ａ）前記第１コネクタが前記係合位置に向かって移動されると、前記縁部が前記第１屈曲可能部に係合し、前記第１屈曲可能部分が前記第１端部コネクタとともに前記完全離間位置にある保持位置から組み付け位置へとカム動作させ、ｂ）前記第１端部コネクタが前記係合位置にある状態で、前記縁部が前記組み付け位置から前記保持位置に戻るよう前記第１屈曲可能部分を解放する、請求項３８に記載の長尺管状ライティングアセンブリ。
【請求項４０】
前記本体部の前記第２端部に設けられた第３端部コネクタをさらに備え、前記第３端部コネクタは、前記支持部上で前記本体部の前記第２端部を動作可能状態に維持するため、前記支持部に搭載された第４コネクタ部分に係合し、前記第３端部コネクタ及び前記第４コネクタ部分は、前記第１端部コネクタ及び前記第２コネクタ部分の前記第１面及び前記第２面と各々構造的に略同一であり、前記第１端部コネクタ及び前記第２コネクタ部分の前記第１面及び前記第２面が前記本体部の前記第１端部で互いに相互作用するのと同様に、前記本体部の前記第２端部で互いに相互作用する面を有する、請求項３８に記載の長尺管状ライティングアセンブリ。
【請求項４１】
前記第１端部コネクタは、前記本体部の前記第１端部にある前記第１端部キャップアセンブリの一部であり、前記第１端部キャップアセンブリは、前記本体部の前記第１端部が内部に向かって延びる第１レセプタクルを規定する第１カップ状要素を備え、前記第３端部コネクタは、前記本体部の前記第２端部にある第２端部キャップアセンブリの一部であり、前記第２端部キャップアセンブリは、前記本体部の前記第２端部が内部に向かって延びる第２レセプタクルを規定する第２カップ状要素を備える、請求項４０に記載の長尺管状ライティングアセンブリ。
【請求項４２】
前記第１端部キャップアセンブリはさらに、第１コネクタ基板を備え、前記照明源及び前記第１コネクタ基板は、前記本体部の前記第１端部及び前記第１端部キャップアセンブリが前記本体部の前記長さに略平行な方向において接続関係となるよう互いに向かって移動する事象として、電気的に接続される、請求項４１に記載の長尺管状ライティングアセンブリ。
【請求項４３】
前記第１端部キャップアセンブリはさらに、第１コネクタ基板を備え、前記第２コネクタ部分は、電源に電気的に接続され、前記第１端部コネクタが前記完全離間位置から前記係合位置へと移動される事象として電気的に接続される前記第１コネクタ基板及び前記第２コネクタ部分上に電気コネクタ要素が存在する、請求項４１に記載の長尺管状ライティングアセンブリ。
【請求項４４】
前記第１コネクタ基板上の前記電気コネクタ要素は、各々、前記第１端部コネクタが前記第２コネクタ部分に向かって、且つ前記係合位置に移動される時、前記本体部の前記長さに略平行な方向に延びる第１部分と、前記本体部の長さに対して横断方向に、且つ、前記第２コネクタ部分に向かって延びる第２部分と、を有する略Ｌ字型ピンを備える、請求項４３に記載の長尺管状ライティングアセンブリ。
【請求項４５】
前記少なくとも１つのＬＥＤエミッタパネルは、複数のＤＣ電源方式ＬＥＤを備える、請求項３６に記載の長尺管状ライティングアセンブリ。
【請求項４６】
前記少なくとも１つのＬＥＤエミッタパネルは、複数のＡＣ電源方式ＬＥＤを備える、請求項３６に記載の長尺管状ライティングアセンブリ。
【請求項４７】
前記照明源は、交差面内に据え付けられた複数のＬＥＤエミッタパネルを支持する多面ヒートシンクを備える、請求項３６に記載の長尺管状ライティングアセンブリ。
【請求項４８】
前記複数のＬＥＤエミッタパネルは、複数のＤＣ電源方式ＬＥＤを備え、前記多面ヒートシンクの前記多面の内側に搭載されたＡＣ−ＤＣドライバ回路をさらに備える、請求項４７に記載の長尺管状ライティングアセンブリ。
【請求項４９】
前記多面ヒートシンクの前記多面の内側に搭載された無停電電源回路をさらに備える、請求項４７に記載の長尺管状ライティングアセンブリ。
【請求項５０】
前記本体部は、略円形の断面を有する、請求項３６に記載の長尺管状ライティングアセンブリ。
【請求項５１】
前記本体部は、略非円形の断面を有する、請求項３６に記載の長尺管状ライティングアセンブリ。
【請求項５２】
前記本体部は、前記本体部の前記長さに略平行な方向に延び、各端部に設けられた一対の従来の電気コネクタピンを備え、前記第１端部コネクタ及び前記第３端部コネクタは、前記第１本体部端部及び前記第２本体部端部にて前記第１レセプタクル及び前記第２レセプタクル内の各々の前記電気ピン上に搭載され、前記電気ピンを包囲し、前記少なくとも第１端部コネクタは、導電性電気要素を有し、前記導電性電気要素は、前記本体部の前記長さに対して横断方向に延び、前記第１端部コネクタが前記第１本体部端部に向かい、前記本体部の前記長さと略平行な方向に前記第１本体部端部と接続関係となるまで移動する事象として、前記第１本体部端部で前記電気コネクタピンに電気的に接続する部分を有する、請求項４１に記載の長尺管状ライティングアセンブリ。
【請求項５３】
離間した第１端部と第２端部との間に長さを有する本体部と、前記本体部の上又は内部に設けられた照明源と、前記本体部の前記第１端部に設けられた第１端部コネクタと、を備えた長尺管状ライティングアセンブリの端部を動作可能状態で支持部上に維持する支持コネクタであって、
前記管状ライティングアセンブリ用の支持部上に設けられる搭載部と、前記第１端部コネクタに係合する第２部分と、を備え、
前記第２部分は、前記第１端部コネクタの第１面に係合する第２面を有し、
前記支持部コネクタの前記第２部分は、前記端部コネクタが前記支持コネクタに対して、前記本体部の長さに対して横断方向の略直線状経路における前記支持コネクタから完全に離間した位置から係合位置に移動する事象として、前記本体部の前記動作可能状態において前記端部コネクタと前記支持コネクタとの離間を防ぐため、前記第１面及び前記第２面が対向関係に配置される、支持コネクタ。
【請求項５４】
前記管状ライティングアセンブリの前記照明源は、ａ）少なくとも１つのＬＥＤエミッタパネルと、ｂ）蛍光を使用して可視光を生成するガス放電ランプと、のうちの少なくとも１つを備える、請求項５３に記載の支持コネクタ。
【請求項５５】
前記第２部分は、前記第１端部コネクタが前記係合位置に向かって移動する際、前記第１端部コネクタが前記第２部分と反対側に移動することにより、前記第２部分及び前記第１端部コネクタの少なくとも一方の一部が再構成され前記第１面及び前記第２面を対向関係に配置させる、請求項５３に記載の支持コネクタ。
【請求項５６】
前記第１端部コネクタは、縁部に囲まれた開口を有し、前記支持コネクタの前記第２部分は、前記第２面の規定された第１屈曲可能部分を有し、前記第２部分は、前記第１屈曲可能部分が、ａ）前記開口の縁部に係合され、前記第１端部コネクタが前記係合位置に向かって移動される際、前記第１屈曲可能部分が前記完全離間位置にある前記第１コネクタ部分とともに留まる保持位置から組み付け位置へと次第にカム動作させられるか、ｂ）前記組み付け位置から前記第１端部コネクタが前記係合位置にある前記保持位置へ戻る、請求項５５に記載の支持コネクタ。
【請求項５７】
前記第１屈曲可能部分は、一体ヒンジを介して前記支持コネクタ部分の他の一部に接合される、請求項５６に記載の支持コネクタ。
【請求項５８】
前記第１端部コネクタは、開口が貫通して形成される壁部を有し、第１面は、前記壁部の内面によって規定され、前記壁部は、その反対側に設けられた第３面と、前記支持部コネクタの前記第２部分上に設けられた第４面と、を有し、前記壁部は、前記第１端部コネクタが前記係合位置にある状態で前記第２面と前記第４面との間に抜け落ち不能に存在する、請求項５７に記載の支持コネクタ。
【請求項５９】
アクチュエータをさらに備え、前記支持コネクタは、前記第１端部コネクタ部分が前記係合位置にある状態で、前記アクチュエータが再配置可能であることにより、前記第１屈曲可能部分をその組み付け位置に向かって移動させ、前記第１端部コネクタを前記支持コネクタから離間させる、請求項５６に記載の支持コネクタ。
【請求項６０】
前記第２部分は、前記第１端部コネクタが前記完全離間位置と前記係合位置との間で変化するのに合わせて前記第２部分が前記開口内に向かわされる際、前記第２部分を前記開口と合致するよう配列すべく、前記開口の前記縁部と協働する、請求項５６に記載の支持コネクタ。
【請求項６１】
前記第２部分は、前記第１屈曲可能部分と略同一であり、前記第１屈曲可能部分が対応保持位置と組み付け位置との間で移動する際に前記縁部と協働するのと同様に前記縁部と協働する第２屈曲可能部分を有し、前記第１屈曲可能部分及び前記第２屈曲可能部分は、前記保持位置から前記組み付け位置に変化する際、互いに向かって移動可能である、請求項５６に記載の支持コネクタ。
【請求項６２】
電源と電気的に接続される導電性コネクタ要素をさらに備える、請求項５３に記載の支持コネクタ。
【請求項６３】
前記支持コネクタの前記導電性コネクタ要素は、前記第１端部コネクタが前記完全離間位置から前記係合位置に移動する事象として、前記第１端部コネクタの導電性要素と電気的に接続される、請求項６２に記載の支持コネクタ。
【請求項６４】
前記支持コネクタの前記導電性コネクタ要素は、前記第１端部コネクタが前記支持コネクタ部分に向かって前記係合位置に移動される時、前記本体部の前記長さに対して横断方向に、且つ、前記支持コネクタに向かって延びる前記第１端部コネクタの導電性ピンの第１部分を受容する、請求項６３に記載の支持コネクタ。
【請求項６５】
前記支持コネクタは、前記導電性コネクタ要素から独立して前記第１端部コネクタとともに保持されることにより、前記本体部を前記動作可能状態に維持する、請求項６３に記載の支持コネクタ。
【請求項６６】
前記長尺管状ライティングアセンブリの前記支持部は、反射体を備え、前記支持コネクタは、前記反射体とは別の要素であり、前記支持コネクタの前記搭載部は、前記反射体に圧接される、請求項５３に記載の支持コネクタ。